(57)【要約】      （修正有）【課題】社内でも家庭でもメモや伝言メモおよびカードや写真などを一箇所に保管でき、全てが見やすく挟んだり、外したり画鋲やピン、マグネットを使用することなく出来る簡易的でシンプルなクリップスタンドを提供する。【解決手段】硬質素材を使用して台座部１６と台座部から立ち上がる一面１１につめ部１４を残して切込み口１３の様々な形状をしたクリップ部を複数配置したクリップスタンドである。このクリップスタンドは、クリップ部の数だけメモやカードが挟めることができるので机の上やパソコンに横に置いてメモ内容や伝言等の処理をスムーズに行うことが出来る。また、場所を取らないのでメモなどを置く定位置として大変便利である。 【選択図】図７
0003189535.tif 000002
【実用新案登録請求の範囲】
【請求項１】
硬質素材を使用して台座部と台座部から立ち上がる面につめ部と円形状またはコの形等の切込み口を有するクリップ部を複数配置して、それぞれのクリップ部にメモ用紙や名刺およびカードなどを一度に挟むことを特徴とするクリップスタンド。
【請求項２】
また、合成樹脂素材を金型に流し込んで製作する手法で台座部と台座部から立ち上がる面につめ部とつめ部を残してあらゆる形状の切込み口を有するクリップ部を複数配置して、それぞれのクリップ部にメモ用紙や名刺およびカードなどを一度に挟むことを特徴とするクリップスタンド。
【請求項３】
また、硬質素材や合成樹脂を使用して一面上につめ部とつめ部を残してあらゆる形状の切込み口を有するクリップ部を複数配置し、それぞれのクリップ部に写真やメモおよびカードや郵便物などを一度に挟みこんで壁に掛けることを特徴とするクリップスタンド。
【考案の詳細な説明】
【技術分野】
【０００１】
本考案は、メモやカードおよび写真などを一度にたくさん挟めることが出来るクリップスタンドである。
【背景技術】
【０００２】
従来、メモスタンドとして洗濯鋏の形を小さくしたモノを1個、台座に取り付けてメモやカードを挟めるものであったり、磁石を利用してメモを固定するスタンドであったり、クリップの形状をした1個のものが台座から立ち上がってメモを挟むといったものであったり、筒状の形の中にメモや注文書等の紙を円柱状に巻いて差し込むものがある。また、クリップ本体に磁力を持たせたもので挟んだ紙やカードおよび写真を冷蔵庫や整理扉や引き出しに磁力効果で固定できるものがある。
【考案の概要】
【考案が解決しようとする課題】
【０００３】
従来、クリップは、幾つかの紙をまとめる事を目的としてその整理のために挟むものであり、クリップで挟んだ書類は、保管として、または持ち運ぶ時に便利なものとしての使い方が一般的である。
【０００４】
近年は、ビジネスにおいても家庭においてもパソコンの普及が著しく、社内においては。仕事上のメモや社内の伝言メモが大変多くなり、よく机の上に貼ってあったり、パソコンのモニターの隅に接着対応のメモ用紙をたくさん貼って担当者へ伝えているのが現状である。
【０００５】
また、デスクのパソコンのキーボードの上に、必要な相手方の名刺や伝言メモがキーとキーの隙間に立ててあり、キーボードの操作をする時は、いちいち外さなければいけないという面倒さがあった。
【０００６】
家庭においては、親から子供への伝言メモがテーブルの上に置いてあったり、公共料金の領収書等必要な書類、訪問者の名刺、料理のレシピなどのメモ書きなど、一時的な紙類の管理が冷蔵庫のドアにマグネットで留めるか、引き出しの中に仕舞うしかなかった。
【０００７】
前記したとおり、仕事のデスクの上のメモや伝言メモおよび名刺等の一時的な保管、家庭での紙類の一時的な保管に対応できる道具が無いという問題点があった。
【０００８】
本考案は、前記した問題点に鑑みて、毎日デスクの上に溜まるメモや伝言メモ、名刺等を一度に挟んで管理でき、一目で判るシンプルな定位置を提案し、デスクの上のみならず、テーブルや電話の横、店舗での利用と目的に応じて使用できるスタンドを提供することを目的とする。
【課題を解決するための手段】
【０００９】
前記目的を達成するために、本考案にかかるクリップスタンドは、反発力を有する硬質の素材を使用し、一面に、クリップのように指で簡単に押すと飛び出るコの形状の切込み口とつめを設け、指を離すと素材の反発力で元に戻る性質を利用して紙などの薄物を挟むことが出来る構造とする。
【００１０】
普通、クリップは、単体で紙などを複数挟む機能を有するが、本考案は、一面にクリップと同じ機能を有するコの形状切込み口とつめを持つクリップ部を複数設けることでクリップ部の数だけ紙などの薄物を挟むことが出来、これを立てられるように台座部を設けてそこから立ち上がるスタンドの構造とする。
【００１１】
一面に展開するクリップ部のモチーフは、色々変えることが出来、また台座部を有する本体の形も使用箇所や目的に応じて様々な形状にすることが出来る。
【００１２】
また、台座部を省いて、構成されたものは、壁などに掛けて使用することも出来る。
【００１３】
また、塗装等のペイント、またはカラー合成樹脂等で成形加工により製作することも好ましい。
【００１４】
本考案に使用する素材は、金属に関わらず、他の素材でも製作可能である。
【００１５】
また、スタンドタイプは、台座の裏に滑り止め用ゴムなどを使用してより安定した構造も好ましい。
【００１６】
本考案とメモ用紙をセットにした仕様のデザインやペンホルダーとメモ用紙をセットにした仕様のデザインなど複合型の構造も好ましい。
【考案の効果】
【００１７】
本願考案のクリップスタンドは、軽量かつシンプルな構造で小さく、デスクの上にも場所を取ることは無く使用でき、メモや名刺およびカードを留める定位置として利用できるものである。しかも取外しが簡単なことで要らなくなったメモや伝言などは外して、空いたクリップ部には新しいメモなどを挟めて、仕事の迅速な処理につながるものである。また、店舗などの場合は、レジ横などにおいて案内のカードやＰＯＰカードを置いたり、飲食店ではテーブルでのメニュー案内スタンドとして
利用できる。
【００１８】
また、家庭での使用に関しては、伝言メモやチケット、公共料金等の必要書の一時保管場所として、家族の写真や料理のレシピを挟んで楽しく使うことも出来る。玄関の下駄箱の上に置いて、留守時の子供への伝言といった役目も果たしてくれる。
【図面の簡単な説明】
【００１９】
【図１】本考案にかかるクリップスタンドの斜視図である。
【図２】前記クリップスタンドの正面図である。
【図３】前記クリップスタンドの背面図である。
【図４】前記クリップスタンドの側面図である。
【図５】前記クリップスタンドの平面図である。
【図６】前記クリップスタンドの底面図である。
【図７】前記クリップスタンドの実施の状態の斜視図である。
【図８】前記クリップスタンドの異型の斜視図である。
【考案を実施するための形態】
【００２０】
以下に、図面を参照しながら本考案の実施形態について詳細に説明する。
【００２１】
図１は、本考案のクリップスタンドの斜視図である。反発力を有する薄い硬質素材を使用して台座部１６と台座部から立ち上がる一面１１にクリップのモチーフ１５の雪だるまや雪の結晶等を配置したつめ部１４を残して円型の切込み口１３を金型でプレスカットもしくはレーザーカットにて加工を施す。加工されたクリップ部１２は、つめ部１４を残して切断されているために、前方および後方から指で押すと反発力を有するクリップ部１２は、飛び出て、離すと元に戻る仕組みである。
【００２２】
また、図１の本考案は、合成樹脂系で金型に樹脂を流し込む整形加工でも製作することが出来る。
【００２３】
反発力を有する硬質素材１１にクリップ部１２の加工を施した面１１は、使用場所や使用目的に応じて形状やクリップ部の数を調整できる。また、台座部１６から立ち上がる本体１１は、前への倒れを防ぐ目的で安定版１７を設けて安心して使用することが出来る。本体11の面の上部を傾斜させているのは、上部に配置しているクリップ部１２に挟むメモ等がより見えやすくするため（図７、使用状態を示す斜視図）の工夫である。また、販売目的にクリップ１２のモチーフ１５と一緒にそのストーリー性を考え、１８のツリー等織り交ぜて商品の雰囲気を醸し出している。
【００２４】
図２は、前記クリップスタンドの正面図である。本考案のクリップスタンド１の反発力を有する硬質の薄い面１１には、１４のつめ部を残して円形状の切込み口１３で構成されたクリップ部１２を複数配置し、本体１１下の後方に台座を有するスタンドを構成している。また、本体１１には、クリップ部１２にメモ用紙等の薄紙を挟む機能を有するため、前屈みになり、前方への倒れこみを防ぐ目的で本体１１より前に突き出た安定版１７を設けている。また、本考案の使用時に後へのスベリを防ぐための滑り止め用合成ゴム３を直接デスク等の面に触れる箇所に装着させている。本体１１に加工しているツリー１８は、クリップ部１２のモチーフに関連した飾りを設けて、商品としてのストーリー性を重んじている。なお、クリップ部１２に施すモチーフ１５は、販売先や販売目的に合わせて様々なモチーフを応用でき、季節物や花、または、順位を意味する数字、記念日等にちなんだ言葉、ノベリティとしての企業マークやロゴマークなど如何様にすることができる。また、本体１１の形に関しても使用場所や使用目的に合わせて大小を問わず、如何様にも変えることが出来る。
また、クリップ部１２の形に関しても、丸や四角等以外にも対象年齢や使用場所、使用時期に応じて如何様にも変更することが出来る。
【００２５】
図３は、前記クリップスタンドの背面図である。(００２４)の正面図の背面を示している。本体１１は、反発力を有する硬質の薄い板なので背面よりクリップ部１２を指で押すと正面の方向へクリップ部１２が突き出し、離すと反発により元に位置に戻る構造である。
【００２６】
図４は、前記クリップスタンドの側面図である。本体１１を立てて使用する目的で本体１１下に後方へ延びる台座１６を設け、本体１１上には、挟んだメモ図７、使用状態を示した斜視図に表しているように上部に傾斜面を設けている。
また、前屈みになって倒れないように安定版１７を敷いて本考案のクリップスタンド１の安定な使用が出来るようにしている。また、使用中に後方へ滑らないように滑り止め用合成ゴム３を台座１６に設けている。
【００２７】
図５は、前記クリップスタンドの平面図である。本体１１と前へ倒れないように安定版１７を敷いている状態を示す。また本体１１には、(００２１)、(００２４)等で示したつめ部１４を残して円形状に切り込み１３をしたクリップ部１２と飾り１８を示している。本体１１は、(００２６)で説明したように本体１１は、傾斜面である。
【００２８】
図６は、前記クリップスタンドの底面図である。本考案のメガネスタンド１の台座１６の裏面に滑り止め用合成ゴムを敷いた状態を示す。
【００２９】
図７は、前記クリップスタンドの使用状態を示す斜視図である。本考案のクリップスタンド１の台座部１６から立ち上がる本体１１には、クリップ部１２を複数設け、複数のメモ２や伝言メモ２および写真２や名刺２を挟めることができるクリップスタンドである。
【００３０】
図８は、前記クリップスタンドの異型の斜視図である。文房具としての要素を取りいれたクリップのモチーフ１５のクリップ部１２を複数有する。構造は、上記で述べたのと同じでクリップ部１２のモチーフ１５をクリップ型モチーフに変更してビジネスで使用可能なシンプルなものとしている。つまり、(００２４)で述べたようにクリップ部１２のモチーフを変えることで様々な使用場所や販売カテゴリーを変えることが出来る。
【産業上の利用可能性】
【００３１】
前記したようにビジネスシーンでは、メモや伝言メモおよび必要な名刺などはデスクの隅に貼って置くか、パソコンのキーボードの上のキーの隙間を利用して立てて置くか、モニターの左右に貼って置くと言うことが一般的であった。しかし本考案のクリップスタンドがあれば、一箇所にまとめてメモを置く定位置が出来、すっきりとしてデスク空間で仕事をすることが出来る。しかも、用件の終わったメモの廃棄と新たなメモの保管、および優先的なメモ、伝言の処理とストレスを感じることなく、一日を過ごすことができる。また、ちょっとオシャレなモチーフのクリップスタンドであれば、職場の話題作りにもなり、和むことにもなる。
【００３２】
家庭での使用については、アットホームなモチーフのクリップスタンドで団欒の演出が出来、会話も弾むことでしょう。また、レストランでのメニュースタンドとして、銀行や郵便局などのインフォメーションスタンドとしてもご利用できるかと思われます。自家需要ばかりでなく、ギフトアイテムとしても暮らしにおいて人への伝言や人からの伝言、情報の書留、訪問者の名刺、チケット、などなど一つの箇所に定位置としてのクリップスタンドは、情報過多の今には大変便利な商材ではないでしょうか。
【符号の説明】
【００３３】
１クリップスタンド
２メモ紙、伝言メモ、名刺、カード等
３滑り止め用合成ゴム
１１反発力を有する薄い素材本体
１２クリップ部
１３切込み口
１４つめ部
１５モチーフ
１６台座
１７安定版
１８飾り
【図１】
0003189535.tif 000003
【図２】
0003189535.tif 000004
【図３】
0003189535.tif 000005
【図４】
0003189535.tif 000006
【図５】
0003189535.tif 000007
【図６】
0003189535.tif 000008
【図７】
0003189535.tif 000009
【図８】
0003189535.tif 000010
【手続補正書】
【提出日】平成26年1月17日(2014.1.17)
【手続補正１】
【補正対象書類名】実用新案登録請求の範囲
【補正対象項目名】全文
【補正方法】変更
【補正の内容】
【実用新案登録請求の範囲】
【請求項１】
硬質素材を使用して台座部と台座部から立ち上がる面につめ部と円形状またはコの形の切込み口を有するクリップ部を複数配置して、それぞれのクリップ部にメモ用紙や名刺およびカードなどを一度に挟むことを特徴とするクリップスタンド。
【請求項２】
合成樹脂素材を金型に流し込んで製作する手法で台座部と台座部から立ち上がる面につめ部と円形状またはコの形の切込み口を有するクリップ部を複数配置して、それぞれのクリップ部にメモ用紙や名刺およびカードなどを一度に挟むことを特徴とするクリップスタンド。
【請求項３】
硬質素材や合成樹脂を使用して一面上につめ部と円形状またはコの形の切込み口を有するクリップ部を複数配置し、それぞれのクリップ部に写真やメモおよびカードや郵便物などを一度に挟みこんで壁に掛けることを特徴とするクリップスタンド。